(57)【要約】【課題】簡便かつ低コストでしかも極めて容易に取り扱うことができ、かつ、線下明示の作業性を大幅に改善することができる。【解決手段】上面が全面に亘って開放された筐体２０と、これら筐体２０の互いに対向した短尺壁２１の上縁部間に張設された基準糸３０と、平面視で線状体が野外に架設された送電線９０と重なった状態において鉛直方向を指し示す、筐体２０に付設された鉛直指示手段としての紐体５０とが備えられ、筐体２０には、基準糸３０を映すことが可能な鏡体４０と、基準糸３０の延びる方向と直交した状態で筐体２０に取り付けられる気泡水準器７０とを備えている。【選択図】図４
2011064485.tif 000002
【特許請求の範囲】
【請求項１】
上面が全面に亘って開放された筐体と、
前記筐体の互いに対向した壁部の上縁部間に張設された線状体と、
前記線状体が野外に架設された架設線と平面視で重なった状態において鉛直方向を指し示す、前記筐体に付設された鉛直指示手段とが備えられてなる前記架設線の直下位置を特定するための線下明示装置であって、
前記筐体は、前記線状体を映すことが可能な鏡面と、前記鏡面の水平状態を検出する水平状態検出手段とを備え、
前記水平状態検出手段は、前記筐体に取り付けられる気泡水準器であることを特徴とする線下明示装置。
【請求項２】
前記鉛直指示手段は、前記壁部から紐体を介して垂下される重錘である請求項１に記載の線下明示装置。
【請求項３】
前記鉛直指示手段は、前記筐体における前記鏡面と直交する下方へ向けて光線を照射する光源である請求項１に記載の線下明示装置。
【請求項４】
上面が全面に亘って開放された筐体と、
前記筐体の互いに対向した壁部の上縁部間に張設された線状体と、
前記線状体が野外に架設された架設線と平面視で重なった状態において鉛直方向を指し示す、前記筐体に付設された鉛直指示手段とが備えられてなる前記架設線の直下位置を特定するための線下明示装置であって、
前記筐体は、前記線状体を映すことが可能な鏡面と、前記鏡面の水平状態を検出する水平状態検出手段とを備え、
前記水平状態検出手段は、前記筐体における前記線状体が固定された前記壁部の外面側から前記鏡面と直交する下方へ向けて延びるように付された基準線を備え、
前記鉛直指示手段は、重錘と、前記重錘を吊持する紐体とを備えており、
前記紐体は、前記基準線に一致することができるように前記筐体に設けられてなることを特徴とする線下明示装置。
【請求項５】
前記鏡面には、前記鏡面が水平状に維持された状態で、前記線状体の直下位置に前記線状体の延びる方向に向けて目安線が前記鏡面に引かれている請求項１乃至４のいずれか１項に記載の線下明示装置。
【発明の詳細な説明】
【技術分野】
【０００１】
本発明は、送電線や光ファイバーケーブルなどの屋外に架設される架設線の直下の位置を適正に明示して特定するために使用される線下明示装置に関するものである。
【背景技術】
【０００２】
従来、特許文献１に記載されているような線下明示装置（特許文献１では垂直下方位置検出装置）が知られている。この線下明示装置は、各種の工作物を送電線から離間させて設けるべく、当該送電線の直下位置を明示するものである。この明示された位置を基準位置とし、この基準位置から予め設定された距離だけ離れた位置より外側に工作物が設置される。
【０００３】
かかる線下明示装置は、上面が開放された筒状の筐体と、この筐体の互いに対向した環状壁の上縁部間に架設されるヘアラインと、筐体を水平に保って送電線と交差する方向に向けて当該筐体を正逆移動させる筐体移動機構と、ヘアラインを介して送電線を視認するためのＣＣＤカメラを備えたイメージセンサと、イメージセンサが検出したヘアラインと送電線との重ね画像を画面表示するモニターと、これら各構成要素を支持する一対の三脚と、前記筐体の底部中央から垂下された重錘とを備えて構成されている。
【０００４】
そして、このような線下明示装置を、対象となる送電線の略直下位置に、筐体が水平姿勢を維持する状態で据え付けた後、モニターを見ながら当該筐体を縦軸回りに回転させたり、送電線と交差する方向に向けて正逆移動させたりしてモニター上で送電線がヘアラインと重なる状態を見いだすことが行われる。重なる状態において、重錘が下方に向けて指し示す位置が、送電線の直下位置ということになる。
【先行技術文献】
【特許文献】
【０００５】
【特許文献１】特開２０００−３２９５５５号公報
【発明の概要】
【発明が解決しようとする課題】
【０００６】
ところで、特許文献１に記載の線下明示装置は、筐体を移動可能に支持する移動機構や、ＣＣＤカメラを備えたイメージセンサ、このイメージセンサが読み取った画像を出力するモニター、さらにはこれらを支持する一対の三脚などを備えた非常に重装備のものであり、極めて高価であるばかりか、持ち運びが困難で機動性に欠けるという問題点を有している。
【０００７】
また、同線下明示装置は、足場の悪い現場において筐体が水平姿勢を維持するように据え付けなければならず、現場での準備作業の作業性が劣るという問題点も存在する。
【０００８】
従って、線下明示装置の据え付け位置が不適正であることが判明したときなど、場所を変えて据え付け直さなければならず、非常に面倒である。かかる面倒な準備作業を手際よく取り進めるためには、多くの現場経験が必要であるとされている。
【０００９】
本発明は、従来のかかる問題点を解消するべくなされたものであって、簡便かつ低コストでしかも極めて容易に取り扱うことができ、かつ、線下明示の作業性を大幅に改善することができる線下明示装置を提供することを目的としている。
【課題を解決するための手段】
【００１０】
本発明は、上記課題を解決するためのものであって、上面が全面に亘って開放された筐体と、前記筐体の互いに対向した壁部の上縁部間に張設された線状体と、前記線状体が野外に架設された架設線と平面視で重なった状態において鉛直方向を指し示す、前記筐体に付設された鉛直指示手段とが備えられてなる前記架設線の直下位置を特定するための線下明示装置であって、前記筐体は、前記線状体を映すことが可能な鏡面と、前記鏡面の水平状態を検出する水平状態検出手段とを備え、前記水平状態検出手段は、前記筐体に取り付けられる気泡水準器であることを特徴とするものである。
【００１１】
かかる構成によれば、気泡水準器の気泡を当該水準器の中央部に位置させるように筐体の姿勢を設定することにより、筐体に設けられた鏡面が水平になる。この状態で線状体の端部側から鏡面を視認し、線状体そのものと、鏡面に映った線状体および架設線の鏡面映像とが互いに重なり合う位置に線下明示装置を把持した観察者が移動する。そして、線状体そのものと、線状体および架設線の各鏡面映像との三者が互いに重なり合った状態で鉛直指示手段が指し示す位置が架設線の直下位置である。
【００１２】
このように、水平状態検出手段としての気泡水準器に基づき筐体の姿勢を設定した後に線状体と、鏡面に映った線状体および架設線の映像とが重なり合うように観測者が移動するという簡単な操作で架設線の線下を適正に明示することが可能であり、線下明示作業の作業性を良好なものにすることができる。
【００１３】
また、線下明示装置は、筐体と、この筐体の上面開口を横断するように張設された線状体と、筐体に付設された鉛直指示手段、鏡面および気泡水準器とのみからなる簡単な構造のものであるため、筐体を移動可能に支持する移動機構や、ＣＣＤカメラを備えたイメージセンサ、このイメージセンサが読み取った画像を出力するモニター、さらにはこれらを支持する一対の三脚などを備えた非常に重装備の従来の線下明示装置に比べて極めて簡素なものにすることができ、製造コストの大幅な低減化が達成される。
【００１４】
また、本発明に係る線下明示装置は、前記鉛直指示手段が、前記壁部から紐体を介して垂下される重錘であることが望ましい。
【００１５】
かかる構成によれば、気泡水準器に基づき筐体に設けられた鏡面を水平に設定した後に線状体と、鏡面に映った線状体および架設線の映像とを互いに重なり合わせるようにし、この状態で重錘が指し示す地面上の位置によって架設線の直下位置が明示される。
【００１６】
また、本発明に係る線下明示装置は、前記鉛直指示手段が、前記筐体における前記鏡面と直交する下方へ向けて光線を照射する光源であることが望ましい。
【００１７】
かかる構成によれば、気泡水準器に基づき筐体に設けられた鏡面を水平に設定した後に線状体と、鏡面に映った線状体および架設線の映像とを互いに重なり合わせるようにし、この状態で光源から照射された光が当てられた地面上の位置によって架設線の直下位置が明示される。
【００１８】
また、本発明は、上面が全面に亘って開放された筐体と、前記筐体の互いに対向した壁部の上縁部間に張設された線状体と、前記線状体が野外に架設された架設線と平面視で重なった状態において鉛直方向を指し示す、前記筐体に付設された鉛直指示手段とが備えられてなる前記架設線の直下位置を特定するための線下明示装置であって、前記筐体は、前記線状体を映すことが可能な鏡面と、前記鏡面の水平状態を検出する水平状態検出手段とを備え、前記水平状態検出手段は、前記筐体における前記線状体が固定された前記壁部の外面側から前記鏡面と直交する下方へ向けて延びるように付された基準線を備え、前記鉛直指示手段は、重錘と、前記重錘を吊持する紐体とを備えており、前記紐体は、前記基準線に一致することができるように前記筐体に設けられてなることを特徴とするものである。
【００１９】
かかる構成によれば、筐体に付された基準線の延びる方向を、重錘の垂下で延びた紐体の延びる方向と、視認方向から見て一致する（一直線上に位置するように見える）ように筐体の姿勢を調節することにより、鏡面が水平になる。この状態で線状体の端部側から鏡面を視認し、線状体そのものと、鏡面に映った線状体および架設線とが互いに重なり合う位置に観察者が移動する。そして、鏡面上に線状体そのものと、鏡面に映った線状体および架設線との三者が互いに重なった状態で重錘が指し示す位置が架設線の直下位置である。
【００２０】
このように、基準線の延びる方向と紐体の延びる方向とが一致するという簡単な操作により筐体の姿勢を設定した後に、線状体と、鏡面に映った線状体および架設線の映像とが重なり合うように観測者が移動するという簡単な操作で架設線の線下を重錘の差し示す方向により適正に明示することができる。
【００２１】
また、線下明示装置は、筐体と、この筐体の上面開口を横断するように張設された線状体と、筐体に付設された鉛直指示手段としての基準線および紐体に吊持された重錘とからなる簡単な構造のものであるため、筐体を移動可能に支持する移動機構や、ＣＣＤカメラを備えたイメージセンサ、このイメージセンサが読み取った画像を出力するモニター、さらにはこれらを支持する一対の三脚などを備えた非常に重装備の従来の線下明示装置に比べて極めて簡素なものにすることができ、製造コストの大幅な低減化が達成される。
【００２２】
また、本発明に係る線下明示装置の前記鏡面には、前記鏡面が水平状に維持された状態で、前記線状体の直下位置に前記線状体の延びる方向に向けて目安線が前記鏡面に引かれていることが望ましい。
【００２３】
かかる構成によれば、線状体の端部側から鏡面を視認して当該鏡面に映った線状体の映像を目安線に合わせることにより、鏡面が水平状態になる。従って、鉛直指示手段を利用した鏡面の水平設定との併用によるダブルチェックにより、鏡面の水平状態がより正確に確保される。
【発明の効果】
【００２４】
本発明に係る線下明示装置によれば、簡単な観察作業で架設線の線下の明示を容易かつ適正に行い得るという優れた機能を確保しつつ、従来のものに比べて構造が極め簡単であり、製造コストの低減化に大いに貢献することができる。
【図面の簡単な説明】
【００２５】
【図１】本発明の第１実施形態に係る線下明示装置の分解斜視図である。
【図２】図１に示す線下明示装置の組み立て斜視図である。
【図３】観測者が送電線の直下位置を明示するべく観測しつつある状態を示す側面視の説明図である。
【図４】図３に示す観測時に観測者の目線の前方の線下明示装置を示す斜視図である。
【図５】本発明に係る第２実施形態の線下明示装置を示す斜視図である。
【図６】本発明に係る第３実施形態の線下明示装置を示す斜視図であり、糸体支持柱が立設姿勢に姿勢設定された状態を示している。
【図７】図６に示す線下明示装置の糸体支持柱が横臥姿勢に姿勢設定された状態を示している。
【図８】糸体支持柱の姿勢変更操作を説明するための説明図であり、（Ａ）は、糸体支持柱が立設姿勢に姿勢設定された状態、（Ｂ）は、糸体支持柱が立設姿勢から水平姿勢に姿勢変更されつつある状態、（Ｃ）は、糸体支持柱が横臥姿勢に姿勢設定された状態をそれぞれ示している。
【発明を実施するための形態】
【００２６】
以下、本発明に係る線下明示装置を実施するための形態について図面を参照しながら説明する。図１は、本発明の第１実施形態に係る線下明示装置１０を示す一部切り欠き分解斜視図であり、図２は、その組み立て斜視図である。なお、図１および図２においてＸ方向を左右方向、Ｙ方向を前後方向といい、特に−Ｘを左方、＋Ｘを右方、−Ｙを前方、＋Ｙを後方という。
【００２７】
線下明示装置１０は、野外に架設された送電線（架設線）９０（図３、図４）の直下位置を明示するものであり、これによって所定の工作物を送電線９０から予め設定された距離だけ正確に離間させて建設するための位置データを提供することができる。
【００２８】
かかる線下明示装置１０は、まず図１に示すように、上面が開放状態の直方体状を呈した筐体２０と、この筐体２０の上面の開放部分を横断するように張設された基準糸（線状体）３０と、筐体２０の底部に装着される鏡体４０と、筐体２０から紐体５０を介して垂下された重錘６０と、筐体２０に装着された、当該筐体２０の水平姿勢を検出する気泡水準器７０とを備えた基本構成を有している。
【００２９】
前記筐体２０は、観測者が前方から両手で保持し得る寸法に設定されている。具体的には、本実施形態においては、筐体２０は、左右寸法が約１５０ｍｍに設定され、前後寸法が約２５０ｍｍに設定されているとともに、上下寸法が約１００ｍｍに設定されている。なお、筐体２０の寸法はこれに限定されない。
【００３０】
筐体２０は、前後一対の短尺壁２１と、これら一対の短尺壁２１の左右の縁部間にそれぞれ架設された左右一対の長尺壁２２と、前方の短尺壁２１の上縁部から後方へ向かって所定寸法だけ突設された左右方向に延びる前方額縁部２３と、右方の長尺壁２２から左方へ向かって所定寸法だけ突設された前後方向へ延びる右方額縁部２４と、左方の長尺壁２２の下縁部から右方へ向かって所定寸法だけ突設された前後方向へ延びる左方鏡体支持条２５と、右方の長尺壁２２の下縁部から左方へ向かって所定寸法だけ突設された前後方向へ延びる右方鏡体支持条２６と、を備えている。
【００３１】
前記右方鏡体支持条２６は、右側の長尺壁２２から左方へ向かって突設された、突出量が前記右方額縁部２４のそれと等しい幅広支持条２６１と、この幅広支持条２６１の左縁部から一段下がって左方へ向けて突設された幅狭支持条２６２とからなっている。左方鏡体支持条２５の上面と、右方鏡体支持条２６の幅狭支持条２６２の上面とは面一に設定されている。そして、かかる左方鏡体支持条２５と右方鏡体支持条２６の幅狭支持条２６２とに前記鏡体４０が支持される。
【００３２】
前記前方の短尺壁２１の下縁部における左右方向の中央部には、前記紐体５０の上端を支持するべく挿通するための第１支持孔２１１が穿設されている。また、前記後方の短尺壁２１の上縁部には、左方の長尺壁２２と、右方額縁部２４との間の内寸法の半分に対応した位置に、前記基準糸３０の後端を支持するべく挿通するための第２支持孔２１２が穿設されている。
【００３３】
前記前方額縁部２３には、左方の長尺壁２２と、右方額縁部２４との間の内寸法の半分に対応した位置に、前記基準糸３０の前端を支持するべく挿通するための第３支持孔２３１が穿設されている。
【００３４】
また、前方額縁部２３における第３支持孔２３１より右方位置には、後述する長尺タイプ気泡水準器７１を装着するための装着長孔２３２が穿設されているとともに、この装着長孔２３２の左側には、後述する全方位気泡水準器７２を装着するための装着円孔２３３が穿設されている。
【００３５】
前記基準糸３０は、後方の短尺壁２１の第２支持孔２１２と、前方額縁部２３の第３支持孔２３１との間に張設される。かかる基準糸３０は、前後の短尺壁２１に架け渡された状態で、その後端部が第２支持孔２１２の後方で折り返されて第２支持孔２１２に差し通され、予め基準糸３０に外嵌されていた金属製のかしめ筒片Ｓに挿入される。引き続き、このかしめ筒片Ｓにペンチ等の所定の工具を用いてかしめ処理を施すことにより、基準糸３０の後端が後方の短尺壁２１の第２支持孔２１２に取り付けられる。
【００３６】
そして、かかる基準糸３０の前端については、前記後端の場合と同様にして前方額縁部２３の第３支持孔２３１に取り付けられる。こうすることによって基準糸３０は、図２に示すように、前後の短尺壁２１間に取り付けられた状態になる。
【００３７】
前記鏡体４０は、基準糸３０および送電線（架設線）９０（図３、図４）を映すためのものであり、筐体２０の左方鏡体支持条２５および右方鏡体支持条２６の幅狭支持条２６２に支持される。かかる鏡体４０は、前後長が一対の短尺壁２１間の内寸法と同一に設定されているとともに、左右長が左方の長尺壁２２の内面側と、右方鏡体支持条２６の幅広支持条２６１の左縁部との間の内寸法と同一に設定されている。かかる鏡体４０は、基準糸３０が前後の短尺壁２１間に架設される前に上面開口から筐体２０内に装着され、左右の鏡体支持条２５，２６に支持される。
【００３８】
また、鏡体４０には、上面側に鏡面４１が形成されている。この鏡面４１には、左右方向の中央位置に前後方向の全長に亘って点線からなる目安線４２が付されている。この目安線４２は、送電線９０を鏡面４１に映すときに、当該送電線９０の鏡像を沿わせるためのものである。鏡面４１に目安線４２を付することにより、送電線９０の鏡像が筐体２０の前後方向に対して斜めになっている状態を、筐体２０の姿勢変更および位置変更で容易に修正することができる。
【００３９】
このような鏡体４０は、基準糸３０が筐体２０に取り付けられる前に、前後方向に長尺になるように姿勢設定した上で、後方から筐体２０の上面開口を介して筐体２０内へ挿入していき、左右の縁部を左方鏡体支持条２５および右方鏡体支持条２６の幅狭支持条２６２にそれぞれ支持させることにより、図２に示すように、筐体２０の底部に装着された状態になる。
【００４０】
前記紐体５０は、重錘６０を吊持するためのものであり、上端部が筐体２０の前方の短尺壁２１に穿設された前記第１支持孔２１１に挿通され、折り返された部分が元の紐体５０に予め外嵌されているかしめ筒片Ｓに差し込まれ、この状態でかしめ筒片Ｓがペンチなどの所定の工具でかしめられることによって、図２に示すように、筐体２０の前方の短尺壁２１に係止される。紐体５０の下端部に重錘６０が取り付けられる。
【００４１】
このような紐体５０が取り付けられる前方の短尺壁２１には、基準糸３０の前方に向かう延長線から第１支持孔２１１へ向かって垂下された基準線（水平状態検出手段）２１３が描かれている。この基準線２１３は、鏡面４１に対して直交しているとともに、鏡面４１が水平になるように筐体２０が姿勢設定された状態で、基準線２１３の下方へ向かう延長線が紐体５０と同心になる。
【００４２】
このことは、逆に基準線２１３が紐体５０と同一直線上に位置して（一致して）見えるように、観察者が筐体２０の姿勢を調節することによって、鏡面４１を水平姿勢に姿勢設定することができることを示している。因みに、紐体５０は、観測者が筐体２０を目Ｅ（図３）の高さの位置にまで持ち上げた状態で、重錘６０が接地しないような長さ寸法に設定されている。
【００４３】
前記重錘６０は、図１に示すように、先鋭に尖った頂部が下方へ向いた逆円錐体状を呈する重錘本体６１と、この重錘本体６１の底面（図１に示す例では重錘６０の底面は、上向きになっている）の中央部から外方に向かって突設された突片６２とを備えている。突片６２には、紐体５０を通すための取付孔６２１が穿設されている。
【００４４】
そして、紐体５０の下端部は、重錘６０の突片６２の取付孔６２１に差し通された後に折り返されて元の紐体５０に重ねられ、これら２本の紐体５０に、予め紐体５０に外嵌されていたかしめ筒片Ｓが嵌め込まれ、引き続き当該かしめ筒片Ｓをペンチなどの所定の工具でかしめることによって、紐体５０の下端部が、図２に示すように、重錘６０の突片６２に取り付けられる。
【００４５】
前記気泡水準器７０は、本実施形態においては、長尺タイプ気泡水準器７１と、全方位気泡水準器７２との２台が採用されている。長尺タイプ気泡水準器７１は、鏡体４０の鏡面４１が左右方向で水平になっているか否かを検出するために用いられるものであり、左右方向に長尺に設定され、中央部が上方に膨出した−Ｙ方向から見た正面視で上に凸の円弧状を呈する透明材料性の長尺水準器本体７１１と、この長尺水準器本体７１１の上下方向の略中間位置に形成されたフランジ７１２とを備えている。前記長尺水準器本体７１１のフランジ７１２より下方の部分は、筐体２０の前方額縁部２３に穿設された前記装着長孔２３２に摺接状態で嵌り込むように寸法設定されている。
【００４６】
従って、長尺水準器本体７１１の下部を、フランジ７１２が装着長孔２３２の縁部に当たるまで装着長孔２３２に押し込むことにより、長尺タイプ気泡水準器７１は、図２に示すように筐体２０の前方額縁部２３に装着された状態になる。
【００４７】
このような長尺タイプ気泡水準器７１の長尺水準器本体７１１内には、液体および小さな気泡が封入されている。従って、この気泡が長尺水準器本体７１１の左右方向の中央部に位置した状態で、鏡体４０の鏡面４１が左右方向で水平になっていることを知ることができる。
【００４８】
前記全方位気泡水準器７２は、前後左右の全方位において筐体２０が全体的に水平になっているか否かを検出するためのものであり、平面視で円形を呈し、上部が上に凸の半球状に形成された円筒状水準器本体７２１と、この円筒状水準器本体７２１の上下方向の略中央部に形成されたフランジ７２２とを備えている。円筒状水準器本体７２１は、筐体２０の前方額縁部２３に穿設された装着円孔２３３に摺接状態で嵌め込み得るように外径寸法が設定されている。
【００４９】
かかる全方位気泡水準器７２の円筒状水準器本体７２１内には、液体および小さな気泡が封入されている。従って、この気泡が円筒状水準器本体７２１の頂部の半円球状の中心に位置した状態で、鏡体４０の鏡面４１が全方位について水平になっていることを知ることができる。
【００５０】
このように、気泡水準器７０として長尺タイプ気泡水準器７１と全方位気泡水準器７２とが採用されるのは、まず、全方位気泡水準器７２によって筐体２０を略水平姿勢に姿勢設定した上で、引き続き長尺タイプ気泡水準器７１によって筐体２０（すなわち鏡面４１）の左右方向の水平状態を精密に得るためである。
【００５１】
そして、筐体２０の底部に鏡体４０を取り付けた後、基準糸３０および重錘６０を備えた紐体５０をそれぞれ筐体２０の所定の部位に取り付けることにより、図２に示すような、本実施形態に係る線下明示装置１０が完成する。
【００５２】
以下、図３および図４を基に、第１実施形態の線下明示装置１０の使用方法について説明する。図３は、観測者Ｍが送電線９０の直下位置を明示するべく観測しつつある状態を示す側面視の説明図であり、図４は、図３に示す観測時に観測者Ｍの目線の前方の線下明示装置１０を示す斜視図である。
【００５３】
まず、図３に示すように、送電線９０は、平坦地Ｒに立設された同一高さ寸法の２本の電柱９１間に架設されている。観測者Ｍは、下から当該送電線９０を見ながら線下明示装置１０に送電線９０の直下位置を明示させることになる。
【００５４】
すなわち、観測者Ｍは、線下明示装置１０を紐体５０が手前になるようにして両手で抱え、略真下であろうと目星を付けた場所にまず位置する。このとき、基準糸３０の延びる方向を送電線９０の延びる方向に合わせる。
【００５５】
引き続き観測者Ｍは、長尺タイプ気泡水準器７１および全方位気泡水準器７２の各気泡を目視し筐体２０を水平姿勢にしながら基準線２１３と紐体５０とが一直線になるように筐体２０の姿勢を微調整して正確に水平姿勢に設定する。このとき観測者Ｍは、図４に示すように、目Ｅを鏡面４１に向け、筐体２０を基準糸３０回りに正逆回動させて基準糸３０の鏡面映像３０′を目安線４２に沿わせるようにする。
【００５６】
この状態で、観測者Ｍは、鏡面４１を視認しながら前後左右に移動したり水平面に沿って仮想の鉛直軸回りに正逆回動したりして送電線９０の鏡面映像９０′を目安線４２に合わせる。こうすることによって、鏡面４１には、図４に示すように、基準糸３０、目安線４２、基準糸３０の鏡面映像３０′および送電線９０の鏡面映像９０′が互いに重なり合った状態になる。
【００５７】
そして、この状態においては、基準糸３０が送電線９０の直下位置に位置しているとともに、紐体５０は、基準糸３０を含む鉛直面に沿うように筐体２０の前方の短尺壁２１から垂下されているため、結果として紐体５０の下端部に吊持された重錘６０の先端が差し示している（すなわち明示している）地面上の位置が送電線９０の直下位置ということになる。
【００５８】
この位置を特定するためには、観測者Ｍが筐体２０の水平姿勢を維持しつつその場で膝を屈してしゃがめばよい。こうすることによって重錘６０の先端が着地することになる。この着地点が送電線９０の直下位置である。なお、この着地点には、所定のマーキングがなされる。
【００５９】
このように、第１実施形態に係る線下明示装置１０によれば、観測者Ｍが線下明示装置１０を抱えて送電線９０の直下位置であろうと目星を付けた場所に位置し、筐体２０の水平姿勢を維持しつつ前後左右に移動したり回ったりしながら筐体２０の鏡面４１において基準糸３０と、目安線４２と、基準糸３０の鏡面映像３０′と、送電線９０の鏡面映像９０′とを重ならせるという簡単な操作によって、送電線９０の直下位置を正確かつ迅速に明示させることができ、線下明示作業の作業性を向上させることができる。
【００６０】
また、線下明示装置１０は、箱形を呈した筐体２０に基準糸３０、鏡体４０、紐体５０、重錘６０および気泡水準器７０を装着しただけの極めて簡単な構造のものであるため、従来の筐体を移動可能に支持する移動機構や、ＣＣＤカメラを備えたイメージセンサ、このイメージセンサが読み取った画像を出力するモニター、さらにはこれらを支持する一対の三脚などを備えた非常に重装備の線下明示装置に比べて大幅な製造コストの削減を実現することができる。
【００６１】
図５は、本発明に係る第２実施形態の線下明示装置１０ａを示す斜視図である。なお、図５におけるＸおよびＹによる方向表示は、図１の場合と同様（−Ｘ：左方、＋Ｘ：右方、−Ｙ：前方、＋Ｙ：後方）である。
【００６２】
図５に示すように、第２実施形態の線下明示装置１０ａは、基準糸３０および紐体５０の構成が第１実施形態のものと相違している。すなわち、第２実施形態においては、第１実施形態に係る基準糸３０および紐体５０が１本の長尺糸体８０の各部分によって構成されている。
【００６３】
一方、筐体２０には、前後方向で前方の短尺壁２１の上面の略中央部を切り欠いた第１切り欠け部２１４と、該第１切り欠け部２１４に対向し、前後方向で後方の短尺壁２１の上面の略中央部を切り欠いた第２切り欠け部２１５と、が備えられている。そして、前記長尺糸体８０は、これら第１切り欠け部２１４および第２切り欠け部２１５にそれぞれ引っ掛けられる。かかる長尺糸体８０の第２切り欠け部２１５から後方へ向かった部分（折り返し部８１）の先端には、小判状の連結片８４の基端が取り付けられている。この連結片８４の先端には、結合孔８４１が穿設されている。
【００６４】
そして、長尺糸体８０における前方の短尺壁２１の第１切り欠け部２１４から前方へ引き出された部分（第１実施形態の紐体５０に対応した部分である紐体部５０ａ）が連結片８４の結合孔８４１に差し通される。かかる紐体部５０ａの先端に重錘６０が取り付けられる。このような第２実施形態の長尺糸体８０における前後の短尺壁２１間に架設された部分のものが第１実施形態の基準糸３０に対応した基準糸部（線状体）３０ａである。
【００６５】
なお、第１切り欠け部２１４から前方に出されてなる紐体部５０ａは、その一部が、前方の短尺壁２１に引かれた第１実施形態と同様な基準線２１３と一直線上で一致する（重なる）ことができるようになっている。したがって、本実施形態では、第１実施形態と同様に、気泡水準器７０（７１、７２）によって鏡体４０の鏡面４１の水平状態を検出できる他、紐体部５０ａと基準線２１３とが一致することによっても、鏡面４１の水平状態を検出できるようになっている。
【００６６】
第２実施形態の線下明示装置１０ａにおける長尺糸体８０及び切り欠け部２１４，２１５以外の各構成要素の構成は、第１実施形態のものと同様である。
【００６７】
第２実施形態の線下明示装置１０ａによれば、第１実施形態において別々のものである基準糸３０および紐体５０が、長尺糸体８０によって一体化されているため、その分線下明示装置１０ａの組み付けコストの低減化に貢献することができる。
【００６８】
そして、長尺糸体８０には、第１実施形態の基準糸３０に対応するものとして基準糸部３０ａが設定されているとともに、同紐体５０に対応するものとして紐体部５０ａが設定されているため、これら基準糸部３０ａおよび紐体部５０ａを用いて第１実施形態の線下明示装置１０と同様に送電線９０の直下位置を明示させることができる。
【００６９】
図６および図７は、本発明に係る第３実施形態の線下明示装置１０ｂを示す斜視図であり、図６は、糸体支持柱２８が立設姿勢に姿勢設定された状態、図７は、糸体支持柱２８が横臥姿勢に姿勢設定された状態をそれぞれ示している。
【００７０】
また、図８は、糸体支持柱２８の姿勢変更操作の過程を説明するためのものである。図８（Ａ）は、糸体支持柱２８が立設姿勢に姿勢設定された状態、図８（Ｂ）は、糸体支持柱２８が立設姿勢から水平姿勢に姿勢変更されつつある状態、図８（Ｃ）は、糸体支持柱２８が横臥姿勢に姿勢設定された状態をそれぞれ示している。
【００７１】
なお、図６〜図８におけるＸおよびＹによる方向表示は、図１の場合と同様（−Ｘ：左方、＋Ｘ：右方、−Ｙ：前方、＋Ｙ：後方）である。
【００７２】
まず、図６および図７に示すように、第３実施形態の線下明示装置１０ｂは、筐体２０ａとして平面視で矩形状を呈した前後方向に長尺の基礎板体（筐体）２７と、この基礎板体２７の前後の端部の左右方向中央位置に姿勢変更可能に立設された、第１実施形態の短尺壁２１に対応する糸体支持柱２８と、この糸体支持柱２８を姿勢変更可能に保持する支持柱保持部２９とを備えている。また、本発明に係る線状体としては、第２実施形態の長尺糸体８０が採用されている。
【００７３】
前記基礎板体２７は、平面視四角形状（例えば長方形状）に構成されている。この基礎板体２７の上面には、第１実施形態と同様な鏡体４０が載置されている。
【００７４】
前記糸体支持柱２８は、基礎板体２７の前後の端部の上面側の左右方向中央部にそれぞれ設けられている。各糸体支持柱２８は、その基端側が支持柱保持部２９に設けられた前後方向へ延びるネジ軸２９２回りに正逆回動可能に軸支され、図６に示すように基礎板体２７上に立設された状態の立設姿勢と、図７に示すように基礎板体２７上へ横臥した横臥姿勢との間で姿勢変更可能とされている。
【００７５】
このような糸体支持柱２８には、その先端面に前後方向へ延びる切り欠き溝２８１がそれぞれ設けられている。これらの切り欠き溝２８１は、長尺糸体８０における基準糸部３０ａに対応した部分の両端部を嵌め込んで支持するためのものである。
【００７６】
また、基礎板体２７における左右方向へ延びる前後一対の短尺側縁部２７１には、ブラケット２９１に対応した位置に外部へ向かって突設された案内凸片２７２がそれぞれ設けられている。これらの案内凸片２７２には、前後の面に上下方向へ延びる切り欠き溝２７３がそれぞれ設けられている。そして、糸体支持柱２８の各切り欠き溝２８１に長尺糸体８０が通されて案内され、これによって長尺糸体８０の支持柱保持部２９に対する干渉が回避されるとともに、糸体支持柱２８が立設姿勢に姿勢設定された状態で、長尺糸体８０の各切り欠き溝２８１，２７３に架設された部分が−Ｙから見た正面視で鏡面４１に対し直交するようになされている。
【００７７】
前記支持柱保持部２９は、基礎板体２７上に前後方向で互いに対向するように立設された、１本の糸体支持柱２８当たり一対のブラケット２９１と、この一対のブラケット２９１に貫通架設されたネジ軸２９２と、糸体支持柱２８に立設姿勢および横臥姿勢を保持させるための板バネ２９３とを備えている。
【００７８】
前記板バネ２９３は、弾性変形部分が一対のブラケット２９１間であって、ネジ軸２９２に軸支された糸体支持柱２８の下方に位置されている。かかる板バネ２９３は、左方の基端部２９３ａがブラケット２９１の若干左方位置にネジ止めで基礎板体２７に固定されている。そして、かかる板バネ２９３は、糸体支持柱２８が存在しなかった場合、右半分２９３ｂが図８（Ａ）に二点鎖線で示すように、右方へ向かって略真っ直ぐに先上がりに傾斜するように形状設定されている。これによって板バネ２９３は、負荷がかかっていない状態では全体的にＶ字状に形成されている。
【００７９】
そして、糸体支持柱２８がネジ軸２９２を介してブラケット２９１に装着された状態で、当該糸体支持柱２８の基端部に干渉してＶ字状が開くように弾性変形している（図８に実線で表示）。
【００８０】
一方、糸体支持柱２８は、図８（Ａ）に示すように、立設姿勢に姿勢設定された状態で、基端側である下端部に、右方へ向かって先下がりの傾斜状態で突設された板バネ２９３の右半分２９３ｂを相対的に押圧操作するための先鋭な操作突起２８２が設けられている。この操作突起２８２の先端は、糸体支持柱２８が立設姿勢に姿勢設定された状態（図８（Ａ））でネジ軸２９２より右側に位置し、糸体支持柱２８が横臥姿勢に姿勢設定された状態（図８（Ｃ））においてネジ軸２９２より左側に位置するように設置位置が設定されている。
【００８１】
また、ブラケット２９１には、その左方のネジ軸２９２より上部位置に、立設姿勢に姿勢設定された糸体支持柱２８が左方へ向けて傾倒するのを防止するためのストッパー２９１ａが設けられている。
【００８２】
従って、糸体支持柱２８が立設姿勢に姿勢設定されたときには、板バネ２９３の右半分２９３ｂによってネジ軸２９２回りに反時計方向に向けて付勢されている糸体支持柱２８は、ストッパー２９１ａに阻止されることによってネジ軸２９２回りにこれ以上反時計方向に向かって回動することが阻止されている。
【００８３】
以下、図８（Ａ）、図８（Ｂ）および図８（Ｃ）を基に、糸体支持柱２８の姿勢変更操作並びに操作突起２８２および２９３の作用ついて説明する。まず、図８（Ａ）に示すように、糸体支持柱２８が立設姿勢に姿勢設定されているときには、糸体支持柱２８の操作突起２８２は、弾性変形している板バネ２９３の右半分２９３ｂから上方へ向かう付勢力を受けるため、ネジ軸２９２回りに反時計方向へ向けて回動しようとするが、ストッパー２９１ａに阻止されて回動することができない。結果として、糸体支持柱２８の立設状態は、板バネ２９３の付勢力によって安定したものになっている。
【００８４】
ついで、立設姿勢に姿勢設定されている糸体支持柱２８を手操作でネジ軸２９２回りに時計方向に向けて回動すると、操作突起２８２が、板バネ２９３の右半分２９３ｂを押圧して、図８（Ｂ）に示すように、一旦弾性変形させる。
【００８５】
糸体支持柱２８の回動操作を継続すると、操作突起２８２がネジ軸２９２の左側へ移行し、これによって操作突起２８２は、ネジ軸２９２回りに時計方向へ向かう付勢力を板バネ２９３の右半分２９３ｂから受けるため、操作者は、回動操作が急に軽くなることによるクリック感を得ることになる。
【００８６】
そして、糸体支持柱２８が横臥姿勢に姿勢変更された状態では、図８（Ｃ）に示すように、操作突起２８２が板バネ２９３の右半分２９３ｂによってネジ軸２９２回りに時計方向へ向かう付勢力を受けるため、横臥姿勢を安定させることができる。
【００８７】
横臥姿勢に姿勢設定された糸体支持柱２８を立設姿勢に姿勢変更するときは、上記の立設姿勢から横臥姿勢への姿勢変更の逆の作用でクリック感を得ながら当該糸体支持柱２８を起立させることができる。
【００８８】
以上詳述したように、第１〜第３実施形態に係る線下明示装置１０，１０ａ，１０ｂは、上面が全面に亘って開放された筐体２０，２０ａと、これら筐体２０，２０ａの互いに対向した壁部（第１および第２実施形態では短尺壁２１、第３実施形態では糸体支持柱２８）の上縁部間に張設された線状体（第１および第２実施形態では基準糸３０、第３実施形態では基準糸部３０ａ）と、平面視で線状体が野外に架設された送電線９０と重なった状態において鉛直方向を指し示す、筐体２０，２０ａに付設された鉛直指示手段としての紐体５０に吊持された重錘６０とが備えられてなるものである。
【００８９】
そして、第１および第２実施形態の線下明示装置１０，１０ａにおいては、筐体２０，２０ａには、平らな底部の上面（第３実施形態では基礎板体２７の上面）に設けられた鏡体４０と、線状体の延びる方向と直交した状態で鏡面４１の延びる方向へ延びた長尺タイプ気泡水準器７１とを備えている。
【００９０】
かかる構成の第１および第２実施形態に係る線下明示装置１０，１０ａによれば、長尺タイプ気泡水準器７１の気泡を当該水準器の中央部に位置させるように筐体２０，２０ａの姿勢を調節して設定することにより、筐体２０，２０ａに形成された鏡面４１を水平にすることができる。
【００９１】
この状態で線状体の端部側から鏡面４１を視認し、線状体そのものと、鏡面４１に映った線状体および送電線９０の鏡面映像とが互いに重なり合う位置に観察者が移動したり回ったりする。そして、線状体そのものと、鏡面４１に映った線状体および送電線９０との三者が互いに重なった状態で重錘６０が指し示す位置を送電線９０の直下位置として明示することができる。
【００９２】
このように、長尺タイプ気泡水準器７１に基づき筐体２０，２０ａの姿勢を設定した後に線状体と、鏡面４１に映った線状体および送電線９０の映像とが重なり合うように観測者Ｍが移動したり回ったりするという簡単な操作で送電線９０の線下を適正に明示することが可能であり、線下明示作業の作業性を良好なものにすることができる。
【００９３】
また、線下明示装置は、筐体２０，２０ａと、この筐体２０，２０ａの上面開口を横断するように張設された線状体と、筐体２０，２０ａに付設された鉛直指示手段としての重錘６０と、鏡面４１および長尺タイプ気泡水準器７１とのみからなる簡単な構造のものであるため、所定の筐体を移動可能に支持する移動機構や、ＣＣＤカメラを備えたイメージセンサ、このイメージセンサが読み取った画像を出力するモニター、さらにはこれらを支持する一対の三脚などを備えた非常に重装備の従来の線下明示装置に比べて極めて簡素な構造のものにすることができ、製造コストの大幅な低減化に貢献することができる。
【００９４】
また、第１〜第３実施形態に係る線下明示装置１０ａにおいては、水平状態検出手段として長尺タイプ気泡水準器７１の他に、前方の短尺壁２１の外面側から鏡面４１と直交する下方へ向けて延びるように付された基準線２１３と、重錘６０を吊持するべく前記短尺壁２１から垂下される紐体５０とが採用されている。なお、第３実施形態においては、基準線２１３として、長尺糸体８０における前方の糸体支持柱２８の切り欠き溝２８１と、案内凸片２７２の切り欠き溝２７３との間に張設された部分を当てることができる。
【００９５】
かかる構成によれば、長尺タイプ気泡水準器７１を用いなくても、筐体２０，２０ａに付された基準線２１３の延びる方向を、重錘６０の垂下で延びた紐体５０の延びる方向と真っ直ぐに合わせることにより（具体的には、−Ｙ方向から見た正面視で基準線２１３と紐体５０とが一直線になるようにすることにより）、筐体２０，２０ａの鏡面４１における線状体（第１および第２実施形態の場合は基準糸３０、第３実施形態の場合は基準糸部３０ａ）と直交する方向を水平にすることができる。
【００９６】
このように、特に気泡水準器７０を設けなくても、基準線２１３の延びる方向と紐体５０の延びる方向とを合わせるという簡単な操作により筐体２０，２０ａの姿勢を設定した後に、線状体と、鏡面４１に映った線状体および送電線９０の映像とが重なり合うように観測者Ｍが移動するという簡単な操作で送電線９０の線下を重錘６０の差し示す方向により適正に明示することができる。
【００９７】
そして、線下明示装置１０，１０ａ，１０ｂは、筐体２０，２０ａと、この筐体２０，２０ａの上面開口を横断するように張設された線状体と、筐体２０，２０ａに付設された鉛直指示手段としての基準線２１３および紐体５０に吊持された重錘６０とからなる簡単な構造のものであるため、従来の線下明示装置にあっては、筐体を移動可能に支持する移動機構や、ＣＣＤカメラを備えたイメージセンサ、このイメージセンサが読み取った画像を出力するモニター、さらにはこれらを支持する一対の三脚などを備えた非常に重装備のものに比べて極めて簡素なものにすることができ、製造コストの大幅な低減化を達成することができる。
【００９８】
また、鏡面４１には、当該鏡面４１が水平方向に維持された状態で、線状体の直下位置に当該線状体の延びる方向に向けて引かれた目安線４２が引かれて形成されているため、線状体の端部側から鏡面４１を視認して当該鏡面４１に映った線状体の映像を目安線４２に合わせることにより、鏡面４１を水平状態にすることができる。
【００９９】
従って、長尺タイプ気泡水準器７１や、基準線２１３および紐体５０などの鉛直指示手段を利用した鏡面４１の水平設定との併用によるダブルチェックにより、鏡面４１の水平状態をより迅速かつ適正に確保することができる。
【０１００】
本発明は、上記の実施形態に限定されるものではなく、以下の内容をも包含するものである。
【０１０１】
例えば、上記の実施形態においては、架設線として送電線９０を例に挙げて説明したが、本発明は、架設線が送電線９０のみであることに限定されるものではなく、電話線や光ファイバーケーブル等の他の種類の架設線の線下位置を特定するために使用してもよい。
【０１０２】
また、上記の実施形態においては、筐体２０，２０ａに気泡水準器７０として長尺タイプ気泡水準器７１および全方位気泡水準器７２の２台が設けられているが、本発明は、気泡水準器７０を２台設けることに限定されるものではなく、長尺タイプ気泡水準器７１のみを設けるようにしてもよい。こうすることによって基準糸３０の延びる方向と直交する鏡面４１と平行な方向を水平方向とすることができるため、たとえ鏡面４１が基準糸３０の延びる方向において若干水平でなくなっていても、重錘６０に送電線９０の直下位置を明示させる上で不都合が生じることはない。
【０１０３】
上記の実施形態においては、筐体２０の前方の短尺壁２１に描かれた基準線２１３を重錘６０の重みで垂下された紐体５０の延びる方向と一致させることによっても鏡面４１を水平姿勢にすることができる。従って、筐体２０に高価な気泡水準器７０を設けなくても、鏡面４１を水平姿勢に姿勢設定する上で不都合が生じることはない。
【０１０４】
第３実施形態の線下明示装置１０ｂにおいては、糸体支持柱２８が基準糸部３０ａの延びる方向と直交する方向に向けて傾倒可能に構成されているが、これに代えて一対の糸体支持柱２８を互いに対向する方向に向けてそれぞれ傾倒し得るように構成してもよい。
【０１０５】
上記の実施形態においては、基準糸３０および基準糸部３０ａは、筐体２０，２０ａの長手方向に向けて張設されているが、これに限定されるものではなく、筐体２０，２０ａの短手方向に向けて張設してもよい。
【０１０６】
上記の実施形態においては、鉛直指示手段として筐体２０，２０ａから紐体５０を介して垂下された重錘６０が採用されているが、重錘６０に代えて光源としてのレーザー光線照射器を採用し、このレーザー光線照射器からのレーザー光線を鉛直状態で下方に向けて照射するようにしてもよい。こうすることで地上のレーザー光線で照らされた部分を、送電線９０の直下位置として明示することができる。
【０１０７】
上記の第２実施形態の線下明示装置１０ａにおいては、長尺糸体８０が採用されているが、本発明は、これに限定されるものではなく、長尺糸体８０に代えて第１実施形態と同様の基準糸３０および紐体５０を備えたものとしてもよい。
【符号の説明】
【０１０８】
１０（１０ａ，１０ｂ）…線下明示装置、２０（２０ａ）…筐体、２１…短尺壁、２１１…第１支持孔、２１２…第２支持孔、２１３…基準線、２１４…第１切り欠け部、２１５…第２切り欠け部、２２…長尺壁、２３…前方額縁部、２３１…第３支持孔、２３２…装着長孔、２３３…装着円孔、２４…右方額縁部、２５…左方鏡体支持条、２６…右方鏡体支持条、２６１…幅広支持条、２６２…幅狭支持条、２７…基礎板体、２７１…短尺側縁部、２７２…案内凸片、２７３…切り欠き溝、２８…糸体支持柱、２８１…切り欠き溝、２８２…操作突起、２９…支持柱保持部、２９１…ブラケット、２９１ａ…ストッパー、２９２…ネジ軸、２９３…板バネ、２９３ａ…板バネの基端部、２９３ｂ…板バネの右半分、３０…基準糸（線状体）、３０ａ…基準糸部（線状体）、３０′…鏡面映像、４０…鏡体、４１…鏡面、４２…目安線、５０…紐体、５０ａ…紐体部、６０…重錘、６１…重錘本体、６２…突片、６２１…取付孔、７０…気泡水準器、７１…長尺タイプ気泡水準器、７１１…長尺水準器本体、７１２…フランジ、７２…全方位気泡水準器、７２１…円筒状水準器本体、７２２…フランジ、８０…長尺糸体、８１…折り返し部、８４…連結片、８４１…結合孔、９０…送電線（架設線）、９０′…送電線の鏡面映像、９１…電柱、Ｒ…平坦地、Ｅ…目、Ｍ…観測者、Ｓ…かしめ筒片。
【図１】
2011064485.tif 000003
【図２】
2011064485.tif 000004
【図３】
2011064485.tif 000005
【図４】
2011064485.tif 000006
【図５】
2011064485.tif 000007
【図６】
2011064485.tif 000008
【図７】
2011064485.tif 000009
【図８】
2011064485.tif 000010